(57)【要約】【課題】マンホールの底部に形成したインバートと外界とを容易に遮断する。【解決手段】インバートカバー１１によって、マンホール５の底部に所定形状の流路を形成するインバート１が覆われて密閉される。よって、インバート１を外界と遮断することができる。マンホール５に流入した雨水が、インバート１を流れる汚水と共に下水処理施設へと送られることがなくなり、下水処理施設のバクテリアの活動を低下させる一因を排除することが可能となる。また、インバート１を流れる汚水から硫化水素ガスが発生したような場合でも、硫化水素ガスがマンホール５に充満することが無くなる。したがって、マンホール５内部で、インバートカバー１１を外す必要の無い作業を行う場合には、硫化水素ガスのチェックを簡素化することが可能となり、マンホール内での作業の安全性の確保が容易となる。【選択図】      図１
2004332441.tif 000002
【特許請求の範囲】
【請求項１】
マンホールの底部に所定形状の流路を形成するインバートのカバーであって、インバートの上方をその流路に沿って覆う蓋部と、マンホールに開口する流入口および流出口を密閉する連結部と、マンホール底面に密着するフランジ部とを備えることを特徴とするインバートカバー。
【請求項２】
前記インバートの流路表面に当接する鍔部を備えることを特徴とする請求項１記載のインバートカバー。
【請求項３】
少なくとも前記鍔部を弾性部材で構成し、かつ、前記鍔部と前記インバートの流路表面との重合部に抜け止めラッチを形成したことを特徴とする請求項２記載のインバートカバー
【請求項４】
前記抜け止めラッチの構造部を一体に備えるインバートと共に用いられることを特徴とする請求項３記載のインバートカバー。
【請求項５】
前記フランジ部に弾性シール部材を設けたことを特徴とする請求項１から４のいずれか１項記載のインバートカバー。
【発明の詳細な説明】
【０００１】
【発明の属する技術分野】
本発明は、マンホールの底部に設けたインバートを密閉するためのカバーに関するものである。
【０００２】
【従来の技術】
図６に示すように、マンホール５の底部には、流入口６、７から流出口８へ汚水、雨水等を円滑に導くためのインバート１が設けられている。このインバート１は、図示の例の如く、コンクリート底版３の上に流路形成部材２を置き、その周囲をモルタル層４で固めたものや、モルタル層４に直接インバートとしての流路形状を打設したものが用いられている（例えば、特許文献１参照。）。
【０００３】
【特許文献１】
特開２００２−３３９４４１号公報（〔０００６〕、図６）
【０００４】
【発明が解決しようとする課題】
しかしながら、底部にインバート１を形成したマンホール５の内部では、従来から次のような問題が生じていた。まず、マンホール５はマンホールカバーによって覆われているが、降雨時には、マンホール５の開口とマンホールカバーとの隙間から、内部に雨水が流入するようになっている。そして、マンホール５に流入した雨水はインバート１を流れる汚水と共に下水処理施設へと送られる。ところが、大量の雨水が混入した汚水は、下水処理施設のバクテリアの活動を低下させる一因となっている。
また、マンホール５の底部に露出するインバート１を流れる汚水から硫化水素ガスが発生し、マンホール５に溜まる虞がある。したがって、下水管の整備作業時等、マンホール５内に作業者が入る際には、まず、硫化水素ガスのチェックおよび除去作業が必要不可欠となっている。
本発明は上記課題に鑑みてなされたものであり、その目的とするところは、マンホールの底部に形成したインバートと外界とを容易に遮断し、上記問題の発生を防止することにある。
【０００５】
【課題を解決するための手段】
上記課題を解決するための、本発明の請求項１に係るインバートカバーは、マンホールの底部に所定形状の流路を形成するインバートのカバーであって、インバートの上方をその流路に沿って覆う蓋部と、マンホールに開口する流入口および流出口を密閉する連結部と、マンホール底面に密着するフランジ部とを備えることを特徴とするものである。
本発明によれば、マンホールの底部に所定形状の流路を形成するインバートが覆われて密閉されることから、インバートを外界と遮断することができる。
【０００６】
また、本発明の請求項２に係るインバートカバーは、請求項１記載のインバートカバーにおいて、前記インバートの流路表面に当接する鍔部を備えるものである。
本発明によれば、当該インバートカバーをインバートに被せる際に、前記鍔部をインバートの流路表面に当接させることで、インバートカバーの位置決めを容易に行うことが可能となる。
【０００７】
また、本発明の請求項３に係るインバートカバーは、請求項２記載のインバートカバーにおいて、少なくとも前記鍔部を弾性部材で構成し、かつ、前記鍔部と前記インバートの流路表面との重合部に抜け止めラッチを形成したものである。本発明によれば、前記鍔部と前記インバートの流路表面との重合部に形成した抜け止めラッチによって、インバートカバーの着脱を容易に行うことが可能となる。
【０００８】
また、本発明の請求項４に係るインバートカバーは、請求項３記載のインバートカバーにおいて、前記抜け止めラッチの構造部を一体に備えるインバートと共に用いられるようにしたものである。
本発明によれば、インバート自体に前記抜け止めラッチの構造部を一体に設けることによって、当該構造部をインバートに後付けする必要を無くし、インバートカバー施工時の、マンホール内での工数を低減することができる。
【０００９】
また、本発明の請求項５に係るインバートカバーは、請求項１から４のいずれか１項記載のインバートカバーにおいて、前記フランジ部に弾性シール部材を設けたものである。
本発明によれば、前記フランジ部に設けた弾性シール部材の弾性を利用して、当該インバートカバーとインバートとの密閉性を高めることができる。また、当該弾性シール部材の弾性を利用して、前記抜け止めラッチの利きを高め、インバートカバーを確実にインバートへと固定することが可能となる。
【００１０】
【発明の実施の形態】
以下、本発明の実施の形態を添付図面に基づいて説明する。ここで従来技術と同一部分若しくは相当する部分については、同一の符号を付して詳しい説明を省略する。
【００１１】
図１には、本発明の実施の形態に係るインバートカバー１１を、インバート１に装着した状態を、部分断面図で示している。流路形成部材２は、ここでは断面略半円形の厚肉のモルタル層２Ａとこのモルタル層２Ａの内面およびその左右側縁部を覆う薄肉の繊維強化樹脂層（ＦＲＰ層）２Ｂとの２層構造となっている。また、この流路形成部材２の左右側縁部は、流路形成部材２の円弧状断面の中心を通る水平面よりも上方へと突出する段付形状２ａ、２ｂとなっている。そして、この段付形状の底部分２ａはモルタル層４に埋込まれると共に、その段付形状の頂面２ｂがモルタル層４の傾斜上面４ａと面一になるように傾斜させられている。すなわち、流路形成部材２の段付形状の頂面２ｂは、マンホール底部の一部を構成するものである。
【００１２】
インバートカバー１１は、流路形成部材２に固定された状態で、円形断面のインバート１を形成するように、流路形成部材２と略同じ曲率の円弧断面を有する蓋部１１ａと、マンホール底面に密着するフランジ部１１ｂとを備えている。また、インバートを構成する流路形成部材２の流路表面２ｃに当接する鍔部１１ｃを備えている。さらに、鍔部１１ｃには、流路形成部材２の係止爪２ｄが嵌り込むための開口１１ｄ（図４参照）が形成されている。したがって鍔部１１ｃは、少なくとも、流路形成部材２の係止爪２ｄの周辺部に設けられるものである。
【００１３】
一方、蓋部１１ａは、流路形成部材２の上方をその流路に沿って延びており、フランジ部１１ｂは蓋部１１ａの両端部に沿ってインバートカバー１１の全長に渡り設けられている。そして、蓋部１１ａの長手方向両端部は、マンホール５の側壁に密着し、マンホール５に開口する流入口６、７および流出口８（図６参照）を密閉するための連結部を構成している。
また、フランジ部１１ｂには弾性シール部材１２（ブチルゴム等）を固定している。この弾性シール部材１２は、フランジ部１１ｂの全長に渡って固定され、インバート１の全長に渡るインバートカバー１１の密閉性を確保している。さらに、インバートカバー１１の長手方向両端部に形成した連結部にも弾性シール部材１２を固定して、インバートカバー１１の両端部と流入口６、７および流出口８との密閉性を高めることができる。
【００１４】
なお、図示のインバートカバー１１は、ＦＲＰ等の繊維強化樹脂で一体成形されたものであるが、必ずしもこの構造に限定されるものではなく、例えば、蓋部１１ａおよびフランジ部１１ｂをモルタル等で構成し、鍔部１１ｃのみを弾性部材で構成して、蓋部１１ａに固定するものとしても良い。
【００１５】
さて、流路形成部材２に対してインバートカバー１１を取り付ける際には、鍔部１１ｃを流路形成部材２の流路表面２ｃに当接させることで、鍔部１１ｃをガイドとして流路形成部材２に対する位置合せを行う。そして、鍔部１１ｃを弾性変形させて、流路形成部材２の係止爪２ｄを乗り越させ、開口１１ｄに係止爪２ｄを嵌め込み固定する。このように、鍔部１１ｃと流路形成部材２の流路表面２ｃとの重合部には、開口１１ｄと係止爪２ｄとによって、いわゆる抜け止めラッチが形成されている。
また、開口１１ｄに係止爪２ｄを嵌め込む際には、フランジ部１１ｂに固定した弾性シール部材１２が流路形成部材２の段付形状の頂面２ｂとの間に挟み込まれ、圧縮される。そして、弾性シール部材１２の弾性復帰力を利用して、フランジ部１１ｂと段付形状の頂面２ｂとの間の密閉性を十分に確保すると共に、開口１１ｄに嵌め込まれた係止爪２ｄを開口１１ｄの縁部に押し付けることで、係止爪２ｄの脱落を防止している。
一方、流路形成部材２に取りつけられたインバートカバー１１を取外す際には、蓋部１１ａの曲率半径を小さくする方向へと弾性変形させる等により、係止爪２ｄと開口１１ｄとの係合を解くことによって、容易に取外し作業を行うことができる。
【００１６】
上記構成をなす本発明の実施の形態に係るインバートカバー１１によれば、次のような作用効果を得ることができる。まず、インバートカバー１１によってマンホール５の底部に所定形状の流路を形成するインバート１が覆われて密閉されることから、インバート１を外界と遮断することができる。このため、マンホール５に流入した雨水がインバート１を流れる汚水と共に下水処理施設へと送られることがなくなり、下水処理施設のバクテリアの活動を低下させる一因を排除することが可能となる。
また、マンホール５の底部に露出するインバート１を流れる汚水から硫化水素ガスが発生したような場合でも、マンホール５に硫化水素ガスが充満することが無くなる。したがって、マンホール５内部で、インバートカバー１１を外す必要の無い作業を行う場合には、硫化水素ガスのチェックを簡素化することが可能となり、マンホール５内での作業の安全性の確保が容易となる。
【００１７】
また、インバートカバー１１には、インバートの流路表面２ｃに当接する鍔部１１ｃを設けたことにより、インバートカバー１１を流路形成部材２に被せる際に、最初に鍔部１１ｃをインバートの流路表面２ｃに当接させることで、インバートカバー１１の位置決めを容易に行うことが可能となる。よって、インバートカバー１１の取り付け作業の容易化を図ることができる。
また、インバートカバー１１の少なくとも鍔部１１ｃを弾性部材で構成し、かつ、鍔部１１ｃとインバートの流路表面２ｃとの重合部に抜け止めラッチを形成したことにより、流路形成部材２に対するインバートカバー１１の着脱作業を容易に行うことが可能となる。
【００１８】
さらに、インバートを構成する流路形成部材２自体に、抜け止めラッチの構造部である係止爪２ｄを一体に設けることによって、係止爪２ｄを流路形成部材２に後付けする必要を無くし、インバートカバー施工時の、マンホール５内での工数を低減することができる。
加えて、フランジ部１１ｂに弾性シール部材１２を設けたことにより、弾性シール部材１２の弾性を利用して、インバートカバー１１と流路形成部材２との密閉性を高めることができる。また、弾性シール部材１２の弾性を利用して、前記抜け止めラッチの利きを高め、インバートカバー１１を確実にインバートへと固定することが可能となる。
【００１９】
なお、図２に示すように、抜け止めラッチの構造部である係止爪１３を流路形成部材２と別体構造とし、セルフタップネジ１４等の固定手段を用いて流路形成部材２に固定するものとすれば（図５参照）、既に施工済みの従来のインバートに対しても、容易にインバートカバー１１を取り付けることが可能となる。
さらに、図３に示すインバートカバー１１’のように、鍔部１１ｃとインバートの流路表面２ｃとの重合部に抜け止めラッチを設けず、フランジ部１１ｂをセルフタップネジ１５等の固定手段を用い、流路形成部材２の段付形状の頂面２ｂに固定することとしてもよい。その他の応用例としては、マンホール５の底部のモルタル層４に、直接インバートとしての流路形状を打設したものについても、図３に示すインバートカバー１１’をモルタル層４の表面にセルフタップネジ１５等を用いて固定し、若しくは、モルタル層４に打設したインバートの流路表面に図２に示す係止爪１３を固定することにより、図１、図２に示すインバートカバー１１を用いることが可能となる。
【００２０】
また、図１、図２に示す例では、インバートカバー１１の鍔部１１ｃに開口１１ｄを、流路形成部材２の流路表面２ｃに係止爪２ｄ、１３を設けることによって抜け止めラッチを構成しているが、インバートカバー１１の鍔部１１ｃに係止爪を、流路形成部材２の流路表面２ｃに係止爪が嵌り込む凹部を形成することにより抜け止めラッチを構成することも可能である。また、インバートカバー１１の鍔部１１ｃおよび流路形成部材２の流路表面２ｃの双方に係止爪を設けて、係止爪同士を嵌合させることにより抜け止めラッチを構成することも可能である。
【００２１】
【発明の効果】
本発明はこのように構成したので、マンホールの底部に形成したインバートと外界とを容易に遮断することができる。そして、マンホールに流入した雨水がインバートを流れる汚水と共に下水処理施設へと送られることを防ぎ、下水処理施設のバクテリアの活動を低下させる一因を排除することが可能となる。
また、マンホールの底部に露出するインバートを流れる汚水から硫化水素ガスが発生したような場合でも、マンホールに硫化水素ガスが充満することを防ぐことが可能となる。したがって、マンホール内部で、インバートカバーを外す必要の無い作業を行う場合には、硫化水素ガスのチェックを簡素化することが可能となり、マンホール内での作業の安全性確保が容易となる。
【図面の簡単な説明】
【図１】本発明の実施の形態に係るインバートカバーを、インバートに装着した状態を示す部分断面図である。
【図２】図１の応用例を示す部分断面図である。
【図３】図１の更なる応用例を示す部分断面図である。
【図４】図１の矢視Ａ図である。
【図５】図２の矢視Ｂ図である。
【図６】マンホールの底部に形成されたインバートを示す透視図である。
【符号の説明】
１  インバート
２  流路形成部材
２ｂ  段付形状の頂面
２ｃ  流路表面
２ｄ、１３  係止爪
４  モルタル層
５  マンホール
６、７  流入口
８  流出
１１  インバートカバー
１１ａ  蓋部
１１ｂ  フランジ部
１１ｃ  鍔部
１１ｄ  開口
１２  弾性シール部材
１４、１５  セルフタップネジ
【図１】
2004332441.tif 000003
【図２】
2004332441.tif 000004
【図３】
2004332441.tif 000005
【図４】
2004332441.tif 000006
【図５】
2004332441.tif 000007
【図６】
2004332441.tif 000008